(57)【特許請求の範囲】
【請求項１】
防腐防蟻用の薬剤が塗布された木材を、密閉空間に１週間保持することによって、塗布された前記薬剤中の溶剤が前記木材から蒸発し、前記密閉空間が蒸発した前記溶剤による飽和状態で、前記木材に薬剤を浸透させることを特徴とする薬剤の浸透方法。
【請求項２】
請求項１記載の薬剤の浸透方法において、
前記木材には、インサイジング加工によって、多数の小溝が形成されており、この小溝から木材内部に薬剤を浸透させることを特徴とする薬剤の浸透方法。
【請求項３】
請求項１または２記載の薬剤の浸透方法において、
前記防腐防蟻用の薬剤が塗布された木材を、密閉空間に所定時間保持した後、該木材を強制乾燥させることを特徴とする薬剤の浸透方法。
【請求項４】
請求項１〜３のいずれかに記載の薬剤の浸透方法において、前記密閉空間の一部を開放しつつ、密閉空間の温度を上昇させることで、木材を強制乾燥させることを特徴とする薬剤の浸透方法。
【請求項５】
請求項４に記載の薬剤の浸透方法において、
前記木材を強制乾燥させて、該木材に液体の状態で付着している前記薬剤中の溶剤を蒸発させ、この蒸発して密閉空間から出た溶剤を冷却することで液化して回収することを特徴とする薬剤の浸透方法。
【発明の詳細な説明】
【０００１】
【発明の属する技術分野】
本発明は、木材に塗布された防腐防蟻用の薬剤を、該木材に浸透させる薬剤の浸透方法に関するものである。
【０００２】
【背景の技術】
従来より、シロアリ、腐朽菌等による木材の生物被害を防止するために、防腐防蟻加工が行われている。この防腐防蟻加工の一例として、予め木材の表面に、例えば、のみ刃によって適当な間隔でのみ目を切り込んでおき、該のみ目から薬液を木材内部に浸透させる方法がある。この木材の表面に前記のみ目等の微小孔を切り込む加工がインサイジング加工と称されている。インサイジング加工を行った木材に薬液を浸透させる例として、特開２０００−２２５６０７号公報に記載の技術が知られている。特開２０００−２２５６０７号公報に記載の技術では、インサイジング加工を施した木材に薬液を噴射ノズルにより塗布する加工を行う例が記されている。
【０００３】
【発明が解決しようとする課題】
上記従来の技術には次のような課題があった。すなわち、インサイジング加工により、薬剤の木材内部への浸透を促進させることができるが、含浸率のさらなる向上が求められている。
本発明は上記課題を鑑みてなされるものであり、効率よく薬剤を浸透できる、薬剤の浸透方法を提供することを目的とする。
【０００４】
【課題を解決するための手段】
上記課題に対し、請求項１の発明は、例えば図１に示すように、防腐防蟻用の薬剤が塗布された木材２を、密閉空間（例えば、保管室３）に１週間保持することによって、塗布された前記薬剤中の溶剤が前記木材２から蒸発し、前記密閉空間が蒸発した前記溶剤による飽和状態で、前記木材２に薬剤を浸透させることを特徴としている。
【０００５】
薬剤は、例えば、防腐防蟻用の薬と、その薬を木材に浸透させるための溶剤とが混合されたものである。
【０００６】
請求項１の発明によれば、防腐防蟻用の薬剤が塗布された木材２を密閉空間に１週間保持するので、塗布された薬剤中の溶剤が木材から蒸発して、密閉空間が飽和状態となり、開放空間に保持する場合に比べ、木材２に薬剤が効果的に浸透する。
【０００７】
請求項２の発明は、請求項１記載の薬剤の浸透方法において、
前記木材２には、インサイジング加工によって、多数の小溝１１…が形成されており、この小溝１１…から木材内部に薬剤を浸透させることを特徴としている。
【０００８】
請求項２の発明によれば、木材２には、インサイジング加工により多数の小溝１１…が形成されており、この小溝１１…から木材内部に薬剤を浸透させるので、薬剤を多数の小溝１１…から木材内部に効率よく浸透させることができる。
【０００９】
請求項３の発明は、請求項１または２記載の薬剤の浸透方法において、
前記防腐防蟻用の薬剤が塗布された木材２を、密閉空間（例えば、保管室３）に所定時間保持した後、該木材２を強制乾燥させることを特徴としている。
【００１０】
請求項３の発明によれば、前記防腐防蟻用の薬剤が塗布された木材２を、密閉空間に所定時間保持した後、該木材２を強制乾燥するので、薬剤中の溶剤が蒸発し、該溶剤を短時間で除去できる。なお、木材２を強制乾燥する場合、密閉空間で強制乾燥してもよいし、木材２を密閉空間から出して、密閉空間外で強制乾燥してもよい。
【００１１】
請求項４の発明は、請求項１〜３のいずれかに記載の薬剤の浸透方法において、前記密閉空間（例えば、保管室３）の一部を開放しつつ、密閉空間（例えば、保管室３）の温度を上昇させることで、木材２を強制乾燥させることを特徴としている。
【００１２】
請求項４の発明によれば、前記密閉空間の一部を開放しつつ、密閉空間の温度を上昇させることで、密閉空間の開放された部分から薬剤の溶液の排出を促すことができ、木材２の表面を効果的に強制乾燥させることができる。したがって、木材２の乾燥時間を短縮することができる。
【００１３】
請求項５の発明は、請求項４に記載の薬剤の浸透方法において、
前記木材２を強制乾燥させて、該木材２に液体の状態で付着している前記薬剤中の溶剤を蒸発させ、この蒸発して密閉空間から出た溶剤を冷却することで液化して回収することを特徴としている。
【００１４】
請求項５の発明によれば、木材２に、より多く含浸させるために大量に塗布した薬剤のうち、蒸発する溶剤を回収することができ、該溶剤の再利用をはかることができる。
【００１５】
【発明の実施の形態】
以下、図面を参照して本発明に係る薬剤の浸透方法について説明する。図１は、本発明に係る薬剤の浸透方法を説明するためのフローチャートである。本実施の形態における薬剤の浸透方法では、木材２に薬剤を十分に含浸させるために大量に塗布された薬剤から溶剤を回収する薬剤回収装置１の保管室（密閉空間）３を密閉空間に利用する例を用いて説明する。
【００１６】
まず、前記薬剤回収装置１について説明する。図２は、薬剤回収装置１のを示す斜視図である。図２において、符号３は保管室（密閉空間）、符号４は暖房装置、符号５は回収部、符号６は連通路、符号８は冷却装置であり、これら、保管室（密閉空間）３と、暖房装置４と、回収部５と、連通路６と、冷却装置８とにより薬剤回収装置１の主要部が構成されている。
【００１７】
保管室（密閉空間）３は、略直方体の建造物であり、木材２を十分に保管可能な容積を有している。この保管室（密閉空間）３の床３１には、壁面３２，３２に沿うように暖房装置４，４が設置されている。また、図示しないが、前記木材２を搬出入するために十分な大きさの出入口を備えている。この出入口を閉めた状態で、保管室（密閉空間）３の内部が密閉空間となるように設計されている。
【００１８】
回収部５は、略円筒状の容器であり、回収された溶剤を貯蔵できる。この回収部５には、回収した溶剤を取り出す取出口（図示せず）が設けられており、この取出口が閉じられている時は、回収部５の内部が密閉された状態となっている。
【００１９】
前記保管室（密閉空間）３と回収部５とは、連通路６によって接続されている。連通路６はパイプにより形成され、一方の端部が前記保管室（密閉空間）３の天井面７と接合され、この天井面７に開口している。なお、天井面７には、連通路６の開口部６ａに蒸発した溶剤を収集するフード（図示せず）が設けられている。前記連通路６は、保管室（密閉空間）３の天井面７と接合する部分から上方に延びた後、水平方向に曲折して回収部５側に延び、回収部５の上方にて、回収部５へ向けて再度垂直方向に曲折して、該回収部５の上面５ａに接合されている。また、前記連通路６は、前記回収部５上方で曲折する位置に連通路６の内部を冷却する冷却装置８が設けられている。したがって、保管室（密閉空間）３と回収部５とが密閉された状態では、薬剤回収装置１全体が密閉された状態となる。
【００２０】
続いて、薬剤の浸透方法について、住宅の床組に用いられる木材２に防腐防蟻用の薬剤を塗布した場合を例に、図１に示すフローチャートに基づき説明する。まず、ステップＳ１において、木材２に防腐防蟻用の薬剤を塗布する。
【００２１】
前記木材２は、住宅の薬剤が塗布される木材２は、図３に示すように、木材２の表面にのみ目等の小溝１１…を切り込むインサイジング加工が施された後、薬剤が大量に塗布されたものである。薬剤の塗布処理が行われた木材２は、ステップＳ２において、すぐに薬剤回収装置１の保管室（密閉空間）３に搬入される。搬入された木材２は、図２に示すように、載置台１０，１０に間隔をあけて載置され、載置された木材２の上にさらに載置台１０，１０を積載してゆき、間隔を作りながら木材２を積み重ねている。このステップＳ２で、搬入された木材２は、ステップＳ３において、十分に浸透するまでの間、前記保管室（密閉空間）３に保管される。
【００２２】
なお、木材２の保管時間は、例えば１週間程度である。保管室（密閉空間）３に木材２を密閉状態で保持しておくことで、蒸発した溶剤が外部に放散しないので、保管室（密閉空間）３内が蒸発した溶剤で飽和状態となり、これによって、薬剤が木材２に効率よく含浸していく。
【００２３】
ここで、前記ステップＳ３において、保管室（密閉空間）３に保管された前記木材２に十分に薬剤が浸透すると、ステップＳ４において、余分な溶剤の回収を行う。以下に、ステップＳ４における溶剤の回収方法について説明する。
【００２４】
薬剤が十分に浸透した前記木材２は、一部が開放された保管室（密閉空間）３に保管すれば自然に乾燥してゆくが、さらに乾燥の効率を高め、溶剤を蒸発させるために、前記保管室（密閉空間）３を、暖房装置４，４にて加温して、木材２を強制乾燥させる。加温された前記保管室（密閉空間）３の内部は温度が上昇し、前記木材２に液体の状態で付着している溶剤が蒸発しはじめる。蒸発した溶剤は、前記保管室（密閉空間）３の天井面７に設けられた開口部６ａから連通路６の内部を、より温度の低い方へ伝わる。
【００２５】
なお、保管室（密閉空間）３を加温する際、過度な乾燥により、本来前記木材２に吸収されるべき薬剤まで蒸発しないように、保管室（密閉空間）３の内部の環境は制御されている。
【００２６】
連通路６の内部に導かれた前記蒸発した溶剤は、冷却装置８が設けられた位置において、冷却されて液化する。液化した前記溶剤は、連通路６の内部を伝わり、下方に連接された回収部５に下降し、前記液化した溶剤を回収し、溶剤の回収方法を終了する。以上の工程で、薬剤を浸透させた木材２の加工を終了する。
【００２７】
上記、薬剤の浸透方法によれば、防腐防蟻用の薬剤が塗布された木材２を、保管室（密閉空間）３に所定時間保持するので、塗布された薬剤中の溶剤が木材２から蒸発して、保管室（密閉空間）３が飽和状態となり、開放空間に保持する場合に比して、木材２に薬剤が効果的に浸透する。
【００２８】
また、保管室（密閉空間）３は全体が密閉されるので、前記塗布された薬剤中の溶剤が保管室（密閉空間）３の外部に放出されることがなく、余分な溶剤の回収率を高めることができるとともに、薬剤を含んだ木材２を保管する際の周辺の環境を良好に保つことができる。なお、木材２の保管の際、該木材２を所定の間隔を保持して載置するので、木材２どうしが、互いに密接して、木材２の乾燥を妨げることがない。
【００２９】
さらに、薬剤を塗布する木材２の表面には、インサイジング加工によって、多数の小溝１１…を形成するので、木材２に薬剤をより多く浸透させることができる。また、前記木材２を所定時間保管して、該木材２に薬剤を浸透させた後、前記保管室（密閉空間）３の内部の開口部を開口しつつ、温度を上昇させて、強制乾燥させるので、乾燥処理の時間を短縮でき、処理効率を高めることができる。
【００３０】
また、薬剤回収装置１により、木材２に、より多く含浸させるために大量に塗布した薬剤のうち、蒸発する溶剤を回収することができ、該溶剤の再利用をはかることができる。
【００３１】
なお、本実施の形態の例では、住宅の床組に用いられる木材に塗布された薬剤中の溶剤を回収する例を挙げたが、例えば、鉄道の枕木や、板材等であってもよく、木材の形状や用途を限定するものではない。
【００３２】
また、木材２に薬剤を浸透させるために、木材２を所定時間保管する密閉空間は、前記薬剤回収装置１の保管室３を利用することとしたが、これに限定するものではなく、例えば、薬剤を塗布した直後の木材を保管する密閉可能な室を別に設けてもよい。木材の浸透は、薬剤中の溶剤の回収より時間を要する作業であるので、木材に薬剤を浸透させる室と、薬剤中の溶剤を回収する保管室とを別に設ければ、薬剤回収装置１の稼動効率を向上させることができる。
【００３３】
また、連通路６に冷却装置８を設けた例を示したが、これに限定されるものではなく、冷却装置８を備えないものであってもよい。さらに、連通路６に、前記蒸発した溶剤を導くファンを設けてもよく、その場合、効率よく前記溶剤が連通路６を移動する。
【００３４】
【発明の効果】
請求項１の発明によれば、防腐防蟻用の薬剤が塗布された木材を、密閉空間に１週間保持するので、塗布された薬剤中の溶剤が木材から蒸発して、密閉空間が飽和状態となり、開放空間に保持する場合に比して、木材に薬剤が効果的に浸透する。
【００３５】
請求項２の発明によれば、請求項１と同様の効果を得ることができるのはもちろんのこと、木材に形成された多数の小溝から木材内部に薬剤を浸透させるので、薬剤を木材内部に効率よく浸透させることができる。
【００３６】
請求項３の発明によれば、請求項１または２と同様の効果を得ることができるのはもちろんのこと、防腐防蟻用の薬剤が塗布された木材を、密閉空間に所定時間保持した後、該木材を強制乾燥するので、薬剤中の溶剤が蒸発し、該溶剤を短時間で除去できる。
【００３７】
請求項４の発明によれば、請求項１〜３のいずれかと同様の効果を得ることができるのはもちろんのこと、密閉空間の一部を開放しつつ、密閉空間の温度を上昇させることで、密閉空間の開放された部分から薬剤の溶剤の排出を促すことができ、木材の表面を効果的に強制乾燥させ、木材の乾燥時間を短縮できる。
【００３８】
請求項５の発明によれば、請求項１〜４のいずれかと同様の効果を得ることができるのはもちろんのこと、木材に、より多く含浸させるために大量に塗布した薬剤のうち、蒸発する溶剤を回収することができ、該溶剤の再利用をはかることができる。
【図面の簡単な説明】
【図１】本発明にかかる薬剤の浸透方法を説明するためのフローチャートである。
【図２】本実施の形態の例に用いる薬剤回収装置を示す斜視図である。
【図３】インサイジング加工が施された木材の例を示す斜視図である。
【符号の説明】
２    木材
３    保管室（密閉空間）
１１  小溝
【図１】
0004446621.tif 000002
【図２】
0004446621.tif 000003
【図３】
0004446621.tif 000004